(57)【要約】【課題】重機を用いることなく、法肩の転圧作業に好適なランマー等を提供することを。【解決手段】盛土体の法肩を転圧するためのランマーであって、振動機構を備える、本体部と、前記本体部の下端に設け、前記本体部の振動を伝える、接地プレートと、を少なくとも具備し、前記接地プレートには、盛土体の天端から法肩の斜度に対応するように下方に折曲した傾斜部を設け、平面視して、前記ランマーの走行誘導方向が、前記接地プレートの折曲線に対して、前記盛土体の法肩から該盛土体の内側に向かって鋭角を呈する向きに設定してあることを特徴とする。【選択図】図１
2016211284.tif 000002
【特許請求の範囲】
【請求項１】
盛土体の法肩を転圧するためのランマーであって、
振動機構を備える、本体部と、
前記本体部の下端に設け、前記本体部の振動を伝える、接地プレートと、
を少なくとも具備し、
前記接地プレートには、盛土体の天端から法肩の斜度に対応するように下方に折曲した傾斜部を設け、
平面視して、前記ランマーの走行誘導方向が、前記接地プレートの折曲線に対して、前記盛土体の法肩から該盛土体の内側に向かって鋭角を呈する向きに設定してあることを特徴とする、
ランマー。
【請求項２】
盛土体の法肩を転圧するために、ランマーの下端に取り付ける接地プレートであって、
盛土体の天端から法肩の斜度に対応するように下方に折曲した傾斜部と、
平面視して、前記ランマーの走行誘導方向が、前記傾斜部の折曲線に対して、前記盛土体の法肩から該盛土体の内側に向かって鋭角を呈するように、前記ランマーと連結自在に構成した、連結部と、
を少なくとも備えたことを特徴とする、
接地プレート。
【発明の詳細な説明】
【技術分野】
【０００１】
本発明は、盛土体の法肩周辺を転圧するためのランマーおよび接地プレートに関する。
【背景技術】
【０００２】
土手状の盛土体の法肩周辺を転圧するための方法として、以下の特許文献１に記載の方法がある。
この方法は、バックホウなどの重機の先端に、への字型のプレートを取り付けて、法肩部分に前記プレートを押しつけることで転圧する方法である。
【先行技術文献】
【特許文献】
【０００３】
【特許文献１】特開２００５−１６３２８３号公報
【発明の概要】
【発明が解決しようとする課題】
【０００４】
しかし、前記特許文献１に記載の方法では、以下の点で問題があった。
（１）作業現場に制約がある。
重機を用いるため、当該重機が立ち入ることのできない場所では施工ができない。
（２）細かな作業が困難である。
重機によるプレートの運動制御では、細かな転圧作業に向かない場合がある。
（３）既存のランマーを使用できない。
既存のランマーを法肩の転圧に使用することは、ランマーを傾斜させて斜面に設置することとなり、危険性が伴う。
【０００５】
よって、本発明は、重機を用いることなく、法肩の転圧作業に好適なランマー等を提供することを目的とする。
【課題を解決するための手段】
【０００６】
上記の課題を解決すべくなされた本願の第１発明は、盛土体の法肩を転圧するためのランマーであって、振動機構を備える、本体部と、前記本体部の下端に設け、前記本体部の振動を伝える、接地プレートと、を少なくとも具備し、前記接地プレートには、盛土体の天端から法肩の斜度に対応するように下方に折曲した傾斜部を設け、平面視して、前記ランマーの走行誘導方向が、前記接地プレートの折曲線に対して、前記盛土体の法肩から該盛土体の内側に向かって鋭角を呈する向きに設定してあることを特徴とする。
また、本願の第２発明は、盛土体の法肩を転圧するために、ランマーの下端に取り付ける接地プレートであって、盛土体の天端から法肩の斜度に対応するように下方に折曲した傾斜部と、平面視して、前記ランマーの走行誘導方向が、前記傾斜部の折曲線に対して、前記盛土体の法肩から該盛土体の内側に向かって鋭角を呈するように、前記ランマーと連結自在に構成した、連結部と、を少なくとも備えたことを特徴とする。
【発明の効果】
【０００７】
本発明によれば、以下に記載する効果を奏する。
（１）狭小な場所で作業できる。
前記した特許文献１に記載のように重機を用いる必要がなく、従来のランマーと同等の大きさを維持できるため、狭小な場所での作業性に優れる。
（２）細かな転圧作業に対応できる。
取り回しが容易で、細かな転圧作業にも好適である。
（３）安全に転圧作業を実施できる。
ランマーの本体部を盛土体の天端に位置させた状態で法肩の転圧を行うことができる。
（４）法肩の締め固め性能に優れる。
法肩周辺の天端の転圧と同時に、法肩の表面に対して、盛土体の内側に押し込むように転圧するので、法肩の締め固めを確実に行うことができる。
（５）製作コストが低廉である。
本体部は従来のランマーの一部を流用しつつ、法肩の角度に合わせた接地プレートを複数用意しておけばよいため、汎用性に富む。
【図面の簡単な説明】
【０００８】
【図１】本発明に係る法肩転圧用ランマーの概略斜視図
【図２】本発明に係る法肩転圧用ランマーの使用イメージを示す概略平面図
【発明を実施するための形態】
【０００９】
以下、図面を参照しながら本発明の実施例について説明する。
【実施例１】
【００１０】
＜１＞全体構成
図１に、本発明に係る法肩転圧用ランマーの概略斜視図を示す。
本発明に係るランマーは、本体部１０と、前記本体部１０の下端に設ける接地プレート２０と、を少なくとも具備する。
以下、各部材の詳細について説明する。
【００１１】
＜２＞本体部
本体部１０は、前記接地プレート２０に振動を伝達するための部材である。
本体部１０は、既存のランマーの本体部分を流用すればよく、詳細な説明は省略する。
【００１２】
＜３＞接地プレート
接地プレート２０は、転圧対象の盛土表面に衝撃を伝えるための部材である。
接地プレート２０は、本体部１０の下端に取り付けて、本体部１０の振動機構により上下に振動することで、接地した盛土表面を転圧することができる。
接地プレート２０の形状の詳細について以下に説明する。
【００１３】
＜３．１＞傾斜部
接地プレート２０は、盛土体の天端から法肩の斜度に対応するように下方に折曲した傾斜部２１を設けておく。
本実施例では、平板状の鋼材の一端を下方に折曲して傾斜部２１としている。
この接地プレート２０は、法肩の傾斜角度に合わせて折曲角度を変えたものを用意しておき、現場に応じて交換可能としておくことが好ましい。
よって、折曲線２１１は、ランマーを法肩に配置した際、法肩の上縁部分とほぼ重なるように位置することとなる。
【００１４】
＜３．２＞連結部
連結部２２は、本体部１０と接地プレート２０とを連結するための要素である。
本実施例では、連結部２２を、接地プレート２０に設けた貫通孔と前記本体部の下端の鍔部分に設けた貫通孔とをボルトナットで連結するなどの公知の機構を採用することができる。
接地プレート２０の貫通孔は、複数設けておくことで、本体部１０に対する接地プレート２０の取付角度を任意の角度に調整自在としてもよい（図示せず）。
【００１５】
＜４＞走行誘導方向の設定例
本発明に係るランマーＡは、該ランマーＡの駆動時に自然に進んでいこうとする方向（走行誘導方向）が、前記接地プレート２０の折曲線２１１に対して、前記盛土体の法肩から該盛土体の内側方向に向かって鋭角を呈する向きとなるようにしておくものとする。
この調整方法には、以下の方法が考えられる。
【００１６】
＜４．１＞接地プレートの取付角度を変える方法
公知のランマーには、前方側に重心をずらすことで、駆動時に自然に前方へと進んでいくものがある。
この公知のランマーにおいて、接地プレート２０の取付角度を変更する方法が考えられる。
より詳細には、前記したランマーの走行誘導方向に対し、接地プレート２０の角度を、前記折曲線２１１が前記走行誘導方向と平行とならないように本体部１０に取り付けて構成する。
当該構成によれば、ランマーが駆動時に自然に進んでいく方向を、盛土の内側方向に向けることができる。
【００１７】
＜４．２＞ランマーの重心をずらす方法
前記の通り、前方側に重心をずらしてある公知のランマー（本体部）の走行誘導方向は前方向である。
そこで、当該ランマーに対し折曲線２１１が平行となる状態となるように、接地プレート２０を取り付けた状態のまま、本体部１０に錘などを取付け、ランマーの重心を盛土の内側方向にずらすよう構成する。
当該構成によっても、ランマーが駆動時に自然に進んでいく方向を、盛土の内側方向に向けることができる。
【００１８】
＜５＞使用方法
図２に、本実施例に係るランマーの使用イメージを示す。
図２（ａ）は正面図、図２（ｂ）は平面図である。
本発明に係るランマーＡを、接地プレート２０が法肩Ｘに沿うように配置したとき、ランマーＡの走行誘導方向３０は折曲線２１１と平行でなく、盛土体側に鋭角を呈する方向を向いた状態となる。
より詳しくは、走行誘導方向の角度θは、図２（ｂ）における折曲線２１１の上方向を０°とした場合、反時計回り方向に鋭角を呈した状態（０°＜θ＜９０°）である。
この状態からランマーＡを駆動させると、ランマーＡは走行誘導方向３０へと進もうとするものの、接地プレート２０の傾斜部２１が法肩Ｘに干渉して、走行を遮ることとなる。
この傾斜部２１の法肩Ｘへの干渉動作が、法肩Ｘの表面を転圧する動作に対応することとなる。
この動作を繰り返すことにより、ランマーは、法肩Ｘの転圧を行いながら、ランマーの進行が遮られない方向（法肩Ｘの上縁線Ｘ１の上方向または折曲線２１１の上方向）とほぼ同じ方向（走行方向４０）へと進んでいく。
【００１９】
＜６＞作用・効果
本発明に係るランマーによれば、本体部１０を盛土体の天端に位置させた状態で法肩Ｘの転圧を行うことができる。
また、法肩Ｘ周辺の天端の転圧と同時に、法肩Ｘの表面に対して、盛土体の内側に押し込むように転圧することが可能となるため、法肩の締め固めを確実に行うことができる。
【符号の説明】
【００２０】
Ａ      ランマー
１０    本体部
２０    接地プレート
２１    傾斜部
２１１  折曲線
２２    連結部
３０    走行誘導方向
４０    走行方向
Ｘ      法肩
Ｘ１    上縁線
【図１】
2016211284.tif 000003
【図２】
2016211284.tif 000004